【手続補正書】
【提出日】平成20年6月3日(2008.6.3)
【手続補正１】
【補正対象書類名】明細書
【補正対象項目名】特許請求の範囲
【補正方法】変更
【補正の内容】
【特許請求の範囲】
【請求項１】
被写体からの光束を受けて光学像を結像させる撮影光学系と、
この撮影光学系により結像される光学像を光電変換することで画像を表わす電気信号に変換する撮像素子と、
上記撮像素子の撮像面に配置される複数の画素のうちの一部の画素を間引いて走査する駆動制御回路と、
を備え、
上記撮像素子の複数の画素のうちの一部の画素を間引いて走査する場合において、上記撮像素子に入射する光束に対する上記撮像素子の位置関係を相対的に変位させ得る可変手段を有することを特徴とする撮像装置。
【請求項２】
上記可変手段は、入射光束の入射位置に対して上記撮像素子を移動させ得ることを特徴とする請求項１に記載の撮像装置。
【請求項３】
上記可変手段は、上記撮像素子の撮像面よりも被写体寄りの位置に配置され、上記撮像素子に入射する光束の入射位置を変位させ得る光学部材であることを特徴とする請求項１に記載の撮像装置。
【請求項４】
上記撮像素子の複数の画素のうち一部の画素を間引いて走査する場合において、上記撮像素子の撮像面の領域によって異なる間引き率とし、フレーム毎又はフィールド毎に上記撮像素子の読み出し画素を切り変えることを特徴とする請求項１又は請求項２又は請求項３のうちいずれか一つに記載の撮像装置。
【請求項５】
上記撮像素子の複数の画素のうち一部の画素を間引いて走査する場合において、フレーム毎又はフィールド毎に上記撮像素子の読み出し画素を切り変えて読み出す際に、同じ色の画素を読み出すように制御することを特徴とする請求項１又は請求項２・３・４のうちいずれか一つに記載の撮像装置。
【請求項６】
上記撮像素子の複数の画素のうち一部の画素を間引いて走査する場合において、フレーム毎又はフィールド毎に上記撮像素子の読み出し画素を切り変えて読み出す際の画素の総数は、フレーム毎又はフィールド毎に同じ数の画素を読み出すように制御することを特徴とする請求項１又は請求項２・３・４・５のうちいずれか一つに記載の撮像装置。
【請求項７】
被写体からの光束を受けて光学像を結像させる撮影光学系と、
この撮影光学系により結像される光学像を光電変換することで画像を表わす電気信号に変換する撮像素子と、
上記撮像素子の撮像面に配置される複数の画素のうちの一部の画素を間引いて走査する駆動制御回路と、
を備え、
上記撮像素子の複数の画素のうち一部の画素を間引いて走査する場合において、上記撮像素子に結像される光学像が合焦する焦点面の位置を変位させる焦点面変位手段を有することを特徴とする撮像装置。
【請求項８】
焦点面変位手段は、上記撮像素子の配置を変位させる手段であることを特徴とする請求項７に記載の撮像装置。
【請求項９】
焦点面変位手段は、上記撮影光学系の一部又は全体の位置を変位させる手段であることを特徴とする請求項７に記載の撮像装置。
【請求項１０】
被写体からの光束を受けて光学像を結像させる撮影光学系と、
この撮影光学系により結像される光学像を光電変換することで画像を表わす電気信号に変換する撮像素子と、
この撮像素子の撮像面に配置される複数の画素を用いて行なわれる走査であって、間引き走査を伴わない第１の走査形態と上記撮像素子の撮像面に配置される複数の画素のうち一部の画素を間引いて走査する第２の走査形態との少なくとも二つの走査形態を切り換え得るように上記撮像素子の駆動制御を行なう駆動制御回路と、
を具備し、
第１の走査形態と第２の走査形態とに対応させて、上記撮像素子に入射する光束の入射位置と上記撮像素子との位置関係を相対的に変位させ得る可変手段を有することを特徴とする撮像装置。
【請求項１１】
第１の走査形態と第２の走査形態とに対応させて上記可変手段による可変量が切り換え自在としたことを特徴とする請求項１０に記載の撮像装置。
【請求項１２】
上記可変手段は、入射光束に対する上記撮像素子の配置を変位させるように駆動制御することを特徴とする請求項１０又は請求項１１のいずれか一方に記載の撮像装置。
【請求項１３】
上記可変手段は、上記撮像素子の撮像面よりも被写体寄りの位置に配置され、上記撮像素子に入射する光束の入射位置を変位させ得る光学部材であることを特徴とする請求項１０又は請求項１１のいずれか一方に記載の撮像装置。
【手続補正２】
【補正対象書類名】明細書
【補正対象項目名】００３９
【補正方法】変更
【補正の内容】
【００３９】
【課題を解決するための手段】
上記目的を達成するために、第１の発明による撮像装置は、被写体からの光束を受けて光学像を結像させる撮影光学系と、この撮影光学系により結像される光学像を光電変換することで画像を表わす電気信号に変換する撮像素子と、上記撮像素子の撮像面に配置される複数の画素のうちの一部の画素を間引いて走査する駆動制御回路と、を備え、上記撮像素子の複数の画素のうちの一部の画素を間引いて走査する場合において、上記撮像素子に入射する光束に対する上記撮像素子の位置関係を相対的に変位させ得る可変手段を有することを特徴とする。
【手続補正３】
【補正対象書類名】明細書
【補正対象項目名】００４０
【補正方法】変更
【補正の内容】
【００４０】
また、第２の発明は、上記第１の発明による撮像装置において、上記可変手段は、入射光束の入射位置に対して上記撮像素子を移動させ得ることを特徴とする。
【手続補正４】
【補正対象書類名】明細書
【補正対象項目名】００４１
【補正方法】変更
【補正の内容】
【００４１】
そして、第３の発明は、上記第１の発明による撮像装置において、上記可変手段は、上記撮像素子の撮像面よりも被写体寄りの位置に配置され、上記撮像素子に入射する光束の入射位置を変位させ得る光学部材であることを特徴とする。
【手続補正５】
【補正対象書類名】明細書
【補正対象項目名】００４２
【補正方法】変更
【補正の内容】
【００４２】
第４の発明は、上記第１の発明又は上記第２の発明又は上記第３の発明のいずれか一つに記載の撮像装置において、上記撮像素子の複数の画素のうち一部の画素を間引いて走査する場合において、上記撮像素子の撮像面の領域によって異なる間引き率とし、フレーム毎又はフィールド毎に上記撮像素子の読み出し画素を切り変えることを特徴とする。
【手続補正６】
【補正対象書類名】明細書
【補正対象項目名】００４３
【補正方法】変更
【補正の内容】
【００４３】
第５の発明は、上記第１の発明又は上記第２・３・４の発明のいずれか一つに記載の撮像装置において、上記撮像素子の複数の画素のうち一部の画素を間引いて走査する場合において、フレーム毎又はフィールド毎に上記撮像素子の読み出し画素を切り変えて読み出す際に、同じ色の画素を読み出すように制御することを特徴とする。
【手続補正７】
【補正対象書類名】明細書
【補正対象項目名】００４４
【補正方法】変更
【補正の内容】
【００４４】
第６の発明は、上記第１の発明又は上記第２・３・４・５の発明のいずれか一つに記載の撮像装置において、上記撮像素子の複数の画素のうち一部の画素を間引いて走査する場合において、フレーム毎又はフィールド毎に上記撮像素子の読み出し画素を切り変えて読み出す際の画素の総数は、フレーム毎又はフィールド毎に同じ数の画素を読み出すように制御することを特徴とする。
【手続補正８】
【補正対象書類名】明細書
【補正対象項目名】００４５
【補正方法】変更
【補正の内容】
【００４５】
第７の発明による撮像装置は、被写体からの光束を受けて光学像を結像させる撮影光学系と、この撮影光学系により結像される光学像を光電変換することで画像を表わす電気信号に変換する撮像素子と、上記撮像素子の撮像面に配置される複数の画素のうちの一部の画素を間引いて走査する駆動制御回路と、を備え、上記撮像素子の複数の画素のうち一部の画素を間引いて走査する場合において、上記撮像素子に結像される光学像が合焦する焦点面の位置を変位させる焦点面変位手段を有することを特徴とする。
【手続補正９】
【補正対象書類名】明細書
【補正対象項目名】００４６
【補正方法】変更
【補正の内容】
【００４６】
第８の発明は、上記第７の発明に記載の撮像装置において、焦点面変位手段は、上記撮像素子の配置を変位させる手段であることを特徴とする。
【手続補正１０】
【補正対象書類名】明細書
【補正対象項目名】００４７
【補正方法】変更
【補正の内容】
【００４７】
第９の発明は、上記第７の発明に記載の撮像装置において、焦点面変位手段は、上記撮影光学系の一部又は全体の位置を変位させる手段であることを特徴とする。
【手続補正１１】
【補正対象書類名】明細書
【補正対象項目名】００４８
【補正方法】変更
【補正の内容】
【００４８】
第１０の発明による撮像装置は、被写体からの光束を受けて光学像を結像させる撮影光学系と、この撮影光学系により結像される光学像を光電変換することで画像を表わす電気信号に変換する撮像素子と、この撮像素子の撮像面に配置される複数の画素を用いて行なわれる走査であって、間引き走査を伴わない第１の走査形態と上記撮像素子の撮像面に配置される複数の画素のうち一部の画素を間引いて走査する第２の走査形態との少なくとも二つの走査形態を切り換え得るように上記撮像素子の駆動制御を行なう駆動制御回路と、を具備し、第１の走査形態と第２の走査形態とに対応させて、上記撮像素子に入射する光束の入射位置と上記撮像素子との位置関係を相対的に変位させ得る可変手段を有することを特徴とする。
【手続補正１２】
【補正対象書類名】明細書
【補正対象項目名】００４９
【補正方法】変更
【補正の内容】
【００４９】
第１１の発明は、上記第１０の発明に記載の撮像装置において、第１の走査形態と第２の走査形態とに対応させて上記可変手段による可変量が切り換え自在としたことを特徴とする。
【手続補正１３】
【補正対象書類名】明細書
【補正対象項目名】００５０
【補正方法】変更
【補正の内容】
【００５０】
第１２の発明は、上記第１０の発明又は上記第１１の発明に記載の撮像装置において、上記可変手段は、入射光束に対する上記撮像素子の配置を変位させるように駆動制御することを特徴とする。
【手続補正１４】
【補正対象書類名】明細書
【補正対象項目名】００５１
【補正方法】変更
【補正の内容】
【００５１】
第１３の発明は、上記第１０の発明又は第１１の発明に記載の撮像装置において、上記可変手段は、上記撮像素子の撮像面よりも被写体寄りの位置に配置され、上記撮像素子に入射する光束の入射位置を変位させ得る光学部材であることを特徴とする。
【手続補正１５】
【補正対象書類名】明細書
【補正対象項目名】００５２
【補正方法】削除
【補正の内容】
【手続補正１６】
【補正対象書類名】明細書
【補正対象項目名】００５３
【補正方法】削除
【補正の内容】
【手続補正１７】
【補正対象書類名】明細書
【補正対象項目名】００５４
【補正方法】削除
【補正の内容】
【手続補正１８】
【補正対象書類名】明細書
【補正対象項目名】００５５
【補正方法】削除
【補正の内容】
【手続補正１９】
【補正対象書類名】明細書
【補正対象項目名】００５６
【補正方法】削除
【補正の内容】
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】削除
【補正の内容】
【手続補正２２】
【補正対象書類名】明細書
【補正対象項目名】０１４９
【補正方法】変更
【補正の内容】
【０１４９】
本実施形態の撮像装置１Ａにおいて、撮像素子１４を「スキップ駆動形態」で動作させると、図１０（Ａ）〜図１０（Ｃ）に示すようにフレーム毎に一画素ずつずらしたアドレスの画素２１の画素信号が取り出される。つまり、第１フレームでは、図１０（Ａ）に示すように符号［１］・［４］・［７］・……の選択画素から画素信号が取り出される。また、第２フレームでは、図１０（Ｂ）に示すように符号［２］・［５］・［８］・……の選択画素から画素信号が取り出される。そして、第３フレームでは、図１０（Ｃ）に示すように符号［３］・［６］・［９］・……の選択画素から画素信号が取り出される。以降のフレームでも同様に所定の選択画素から画素信号が取り出される。
【手続補正２３】
【補正対象書類名】明細書
【補正対象項目名】０１６９
【補正方法】変更
【補正の内容】
【０１６９】
本発明の第４の実施形態では、撮像素子が「スキップ駆動形態」で走査を行なう場合に行なわれるフレーム毎又はフィールド毎の選択画素の変更間隔（画素ずらし間隔）を、不規則な画素間隔となるようにしているのは、上述の第３の実施形態と同様である。しかし、本実施形態では、垂直方向の画素ずらし間隔と、水平方向の画素ずらし間隔とを共に不規則的に変化させている点が異なる。